(57)【要約】      （修正有）【課題】水ろ過器、外部包装体、底蓋を備える携帯型水ろ過装置を提供する。【解決手段】水ろ過器は、筒状のケーシングと、２つのフィルタ１０２と、一つのろ過部材１０３とを具備する。２つのフィルタ１０２、１０２は、ろ過部材１０３を挟持してケーシング内側の両端部にそれぞれ配置される。外部包装体１１は、収容空間を有すると共に、水ろ過器の一端と液密に接続可能な第１開口部１１２と、底蓋１２と接続可能な第２開口部１１３が設けられる。また、ケーシングの内部には、液体格納空間１０１１が設けられ、ケーシングの両端部には、それぞれ給水口１０１２及び出水口１０１３が設けられている。給水口１０１２及び出水口１０１３は、ともにねじ山を有する。そのうち、ケーシングは、出水口１０１３付近部で分離可能であり、２つのフィルタ１０２とろ過部材１０３とを交換した後に、再び螺合し互いに接合して、液体格納空間１０１１を形成することができる。【選択図】図１
0003190404.tif 000002
【実用新案登録請求の範囲】
【請求項１】
水ろ過器と、外部包装体と、底蓋と、を備える携帯型水ろ過装置であって、
前記水ろ過器は、筒状のケーシングと２つのフィルタとろ過部材とを有し、
前記２つのフィルタが前記ろ過部材を挟持して前記ケーシング内側の両端部にそれぞれ配置されており、
前記外部包装体は、ろ過すべき水及び前記水ろ過器を収容するための収容空間を有すると共に前記水ろ過器の一端と液密に接続可能な第１開口部と、前記底蓋と接続可能な第２開口部が設けられた携帯型水ろ過装置。
【請求項２】
前記出水口に液体の流出状態を制御するためのスイッチが設けられた請求項１記載の携帯型水ろ過装置。
【請求項３】
前記ろ過部材は、活性炭または亜硫酸カルシウムのいずれかを含む請求項１又は請求項２記載の携帯型水ろ過装置。
【請求項４】
前記外部包装体の第２開口部の周縁部に係合部が設けられ、
前記底蓋の一端の周縁部に前記係合部と嵌合する固定部が設けられた請求項１ないし３のいずれか１項記載の携帯型水ろ過装置。
【請求項５】
前記外部包装体の第２開口部の周縁部及び前記底蓋の一端に、互いに螺合するねじ山又はねじ溝がそれぞれ設けられていることを特徴とする、請求項１ないし３のいずれか１項記載の携帯型水ろ過装置。
【考案の詳細な説明】
【技術分野】
【０００１】
本考案は、水ろ過装置の設計に関し、特に携帯式であって、外部包装体を取り外した後に繰り返し組立使用可能な携帯型水ろ過装置に関する。
【背景技術】
【０００２】
飲用水の清浄な品質を確保して健康への危害を避けるため、通常は送水管に一つ以上のろ過装置を取り付けて、水に含まれる各種の有機物などの不純物をろ過して臭いを取り除いた後に、使用場所に送水して使用に備える。
【考案の概要】
【考案が解決しようとする課題】
【０００３】
前述した送水管の水ろ過装置は、複雑な取付け手段によって、固定位置に取り付けられており、随意に変更したりまたは携帯したりすることはできない。最近では、各種の移動式水ろ過装置が市販され、より良い利便性をもたらしている。しかし、この種の携帯式水ろ過装置のほとんどは、一つのろ過部材を瓶またはコップに取り付けて、一体型のろ過装置に形成されている。送水管に取り付けられる水ろ過装置に比べて、体積は縮小されたものの、携帯性の観点から、その体積は依然として大きすぎ、なお不便である。
【０００４】
また、単体式のろ過部材からなる製品が考案されている。それは水ろ過装置を簡素化させ、単純な構造をもって、水に含まれる不純物をろ過して、使用者の使用に備える。しかし、この種のろ過部材からなる製品は、例えば、飲水器と組合せての使用となり、直接に使用することはできない。よって、利便性と実用性とも不足点が残る。
【０００５】
このほかに、前述各種の大小のろ過装置の包装は、紙製ボックスやプラスチック材がほとんどであり、使用後に取り外された後は再使用できず、廃棄せざるを得ない。ゴミの量が増えると共に、環境保護の潮流に背いている。
【０００６】
考案者は前述欠点に鑑み、携帯及び使用の便利を図り、外部包装体を取り外した後に再使用可能な水ろ過装置を考案し、水ろ過装置の実用性と利便性の大幅な向上を図ることを目的として本考案に至った。
【課題を解決するための手段】
【０００７】
本考案の一目的は、外部包装体と、底蓋とを有し、水ろ過装置を密封して収納することができる水ろ過装置を提供することにある。水ろ過装置を取り出した後、外部包装体を逆方向からろ過装置の給水口に螺合することによって、じょうごとして使用することができる。外部包装体を回収して再使用することにより、ゴミ減量の目的を達成きると共に、注水するときの水漏れを軽減し、取り外し及び組合せ便利な携帯型水ろ過装置を提供する。
【０００８】
本考案の他の目的は、水ろ過装置の体積を小さくして、携帯に便利すると共に、製造コストを軽減できる、携帯型水ろ過装置を提供することである。
【０００９】
上記目的を達成するため、本考案の携帯型水ろ過装置は、水ろ過器と、外部包装体と、底蓋と、を備え、前記水ろ過器は、筒状のケーシングと２つのフィルタとろ過部材とを有し、前記２つのフィルタが前記ろ過部材を挟持して前記ケーシング内側の両端部にそれぞれ配置されており、前記外部包装体は、ろ過すべき水及び前記水ろ過器を収容するための収容空間を有すると共に前記水ろ過器の一端と液密に接続可能な第１開口部と、前記底蓋と接続可能な第２開口部が設けられたことを特徴とする。
【００１０】
本考案は、液体の流出状態を制御するため、出水口にスイッチが設けられていてもよい。ろ過部材は例えば活性炭や亜硫酸カルシウムなどを用いても良い。
【００１１】
本考案は、前記外部包装体の第２開口部の周縁部に係合部が設けられ、
前記底蓋の一端の周縁部に前記係合部と嵌合する固定部が設けられていても良い。
【００１２】
一実施例において、前記外部包装体の第２開口部の周縁部及び前記底蓋の一端に、互いに螺合するねじ山又はねじ溝がそれぞれ設けられていても良い。
【図面の簡単な説明】
【００１３】
【図１】本考案の好ましい実施例の第１実施態様の分解概略図である。
【図２】本考案の好ましい実施例の第１実施態様の立体組立図である。
【図３】本考案の好ましい実施例の第１実施態様の応用態様図である。
【図４】本考案の好ましい実施例の第２実施態様の分解概略図である。
【考案を実施するための形態】
【００１４】
本考案の内容のさらなる理解を図るため、以下、図面を参照して説明する。
【実施例】
【００１５】
図１ないし３は本考案の好ましい実施例の第１実施態様の立体分解略図と、立体組立を示す図と、応用態様図と、を示している。本考案の携帯型水ろ過装置１は、水ろ過器１０と、外部包装体１１と、底蓋１２と、を備える。
【００１６】
水ろ過器１０は、筒状のケーシング１０１と、２つのフィルタ１０２と、一つのろ過部材１０３とを具備する。２つのフィルタ１０２、１０２は、ろ過部材１０３を挟持してケーシング１０１内側の両端部にそれぞれ配置される。外部包装体１１は、収容空間を有すると共に、水ろ過器１０の一端と液密に接続可能な第１開口部１１２と、底蓋１２と接続可能な第２開口部１１３が設けられる。また、ケーシング１０１の内部には、液体格納空間１０１１が設けられ、ケーシング１０１の両端部には、それぞれ給水口１０１２及び出水口１０１３が設けられている。給水口１０１２及び出水口１０１３は、ともにねじ山を有する。そのうち、ケーシング１０１は、出水口１０１３付近部で分離可能であり、２つのフィルタ１０２とろ過部材１０３とを交換した後に、再び螺合し互いに接合して、液体格納空間１０１１を形成することができる。
【００１７】
２つのフィルタ１０２は、液体格納空間１０１１に内設されており、かつそれぞれ給水口１０１２と、出水口１０１３とに対応して設けられることで、ろ過効果が向上する。ろ過部材１０３は、液体格納空間１０１１に内設されており、かつ２つのフィルタ１０２の間に配置され、ろ過されていない液体を給水口１０１２から注入した後に、２つのフィルタ１０２と、ろ過部材１０３によって順次ろ過させ、液体中に含まれる汚れなどの不純物が取り除かれる。そのうち、ろ過部材１０３は、活性炭または亜硫酸カルシウムのいずれかを選択できる。２つのフィルタ１０２はそれぞれ給水口１０１２と、出水口１０１３付近に設けられているため、ろ過されていない液体は、まず給水口１０１２のフィルタ１０２によってろ過された後、ろ過部材１０３によって、不純物等が除去され、最後に出水口１０１３に取り付けられたフィルタ１０２により再度ろ過される。
【００１８】
図２に示すように、外部包装体１１の内部（収容空間１１１）には、水ろ過器１０を収容することできる。外部包装体１１の一端には第１開口部１１２が延設されていて、かつ第１開口部１１２はねじ山を有する。外部包装体１１の他端には、底蓋１２との接続するための第２開口部１１３が形成されている。本実施例において、第２開口部１１３の周りに係合部１１３１が延設されている。
【００１９】
底蓋１２は、水ろ過器１０を外部包装体１１の内部に密封するため、第２開口部１１３に取り付けられる。外部包装体１１を内挿した状態で密封するため、底蓋１２は外部包装体１１の係合部１１３１に対応して固定部１２１が設けられている。そのうち、携帯型水ろ過装置１を直立置きにするため、底蓋１２の下面は平らに形成されている。
【００２０】
このほかに、本考案は衛生の確保と汚れ防止のために、第１開口部１１２を覆って密封状態を形成するための蓋体１４をさらに有する。これにより、使用しないときは、第１開口部１１２から汚れと粉塵が内部に入り、汚染されることを防止できる。
【００２１】
図３に示すように、使用するときは、水ろ過器１０を外部包装体１１の内部（収容空間１１１）から取り出して、蓋体１４を取り外してから、外部包装体１１を逆方向に取り付けて、第１開口部１１２を給水口１０１２に螺合してじょうごを形成し、収容空間１１１にろ過すべき水を充填する。このようにして、液体を補給しても給水口１０１２から液体が溢れ出ず、実用的で利便性のよい水ろ過装置を得ることができる。
【００２２】
本考案はこのほかに、ろ過後の液体がそのまま出水口１０１３から流出することを避けるため、出水口１０１３の位置に、液体の流出状態を制御するスイッチ１３が設けられる。ろ過されていない液体は給水口１０１２からケーシング１０１の内部に流れこみ、２つのフィルタ１０２と、ろ過部材１０３によってろ過され、さらにスイッチ１３によるフロー制御を経て、出水口１０１３から取り出される。使用者は出水口１０１３から直接ろ過済みの液体を摂取するか、または出水口１０１３のねじ山部と、コップまたは瓶などの容器に螺合し固定した後に、液体を取り出して、摂取または貯蔵することができる。
【００２３】
引き続き図４を参照して本考案の好ましい実施例としての第２実施態様の分解概略図について説明する。本実施態様において、携帯型水ろ過装置１の第２開口部１１３と底蓋１２とは、いずれもねじ山部を有し、互いに螺合することで水ろ過器１０を内部に密封した状態で外部包装体１１と蓋体１２とを接続することができる。
【００２４】
本考案より提供される携帯型水ろ過装置１は、使用しないときには、水ろ過器１０を内挿して外部包装体１１と底蓋１２を密封することで、衛生が確保され、汚染を防止できる。使用するときは、外部包装体１１から取り出して、逆方向に給水口１０１２に取付けることによって、じょうごとして使用できる。また、水ろ過器１０を廃棄しても、外部包装体１１は繰り返し使用することができる。これにより、ゴミの減量化、ひいては環境保護に貢献する。
【符号の説明】
【００２５】
１ 携帯型水ろ過装置
１０ 水ろ過器
１０１ ケーシング
１０１１ 液体格納空間
１０１２ 給水口
１０１３ 出水口
１０２ フィルタ
１０３ ろ過部材
１１ 外部包装体
１１１ 収容空間
１１２ 第１開口部
１１３ 第２開口部
１１３１ 係合部
１２ 底蓋
１２１ 固定部
１３ スイッチ
１４ 蓋体
【図１】
0003190404.tif 000003
【図２】
0003190404.tif 000004
【図３】
0003190404.tif 000005
【図４】
0003190404.tif 000006